(57)【要約】【課題】  従来の電子カメラで撮像素子が複数の画像取得範囲を有する場合、自然なズーム操作を提供することができなかった。【解決手段】  本発明では、光学系ズームレンズのズーム位置を取得するズーム位置取得部と、前記光学系ズームレンズを介して入射する被写体像を第１画像取得範囲または第２画像取得範囲で撮影する撮影部と、前記ズーム位置取得部が取得するズーム位置に応じて前記撮影部で撮影する画像取得範囲を制御するズーム制御部とを備えることを特徴とする。【選択図】    図１
2010193377.tif 000002
【特許請求の範囲】
【請求項１】
光学系ズームレンズのズーム位置を取得するズーム位置取得部と、
前記光学系ズームレンズを介して入射する被写体像を第１画像取得範囲または第２画像取得範囲で撮影する撮影部と、
前記ズーム位置取得部が取得するズーム位置に応じて前記撮影部で撮影する画像取得範囲を制御するズーム制御部と
を備えることを特徴とする電子カメラ。
【請求項２】
請求項１に記載の電子カメラにおいて、
前記ズーム制御部は、前記光学系ズームレンズのズーム範囲内に予め設定された第１閾値よりワイド側のズーム領域では前記第１画像取得範囲を選択し、前記光学系ズームレンズのズーム範囲内に予め設定された前記第１閾値よりテレ側に位置する第２閾値よりテレ側のズーム領域では前記第２画像取得範囲を選択し、前記第１閾値と前記第２閾値との間のズーム領域では前記第１画像取得範囲から前記第２画像取得範囲まで光学系ズームレンズのズーム位置に連動させて画像取得範囲を変える
ことを特徴とする電子カメラ。
【請求項３】
請求項２に記載の電子カメラにおいて、
前記光学系ズームレンズのワイド端のズーム位置を前記第１閾値とする設定および前記光学系ズームレンズのテレ端のズーム位置を前記第２閾値とする設定の少なくとも一方を行うことを特徴とする電子カメラ。
【請求項４】
請求項１に記載の電子カメラにおいて、
前記第１画像取得範囲から前記第２画像取得範囲に切り替える第１閾値と、前記第２画像取得範囲から前記第１画像取得範囲に切り替える第２閾値とを設け、
前記ズーム制御部は、前記光学系ズームレンズのズーム位置がテレ側方向に変化する場合は前記第１閾値で前記第１画像取得範囲から前記第２画像取得範囲に切り替え、前記光学系ズームレンズのズーム位置がワイド側方向に変化する場合は前記第２閾値で前記第２画像取得範囲から前記第１画像取得範囲に切り替える
ことを特徴とする電子カメラ。
【請求項５】
請求項１から４のいずれか一項に記載の電子カメラにおいて、
前記第１画像取得範囲は、前記第２画像取得範囲よりも画像取得範囲が広いことを特徴とする電子カメラ。
【請求項６】
請求項１から５のいずれか一項に記載の電子カメラにおいて、
前記ズーム制御部は、前記光学系ズームレンズのズーム位置が変化する範囲内で制御することを特徴とする電子カメラ。
【発明の詳細な説明】
【技術分野】
【０００１】
本発明は、ズームレンズを有する電子カメラに関する。
【背景技術】
【０００２】
近年、電子カメラではズームレンズが広く使用されている。特に、光学式ズームレンズのズーム範囲を超える領域では電子ズームの使用が一般的になってきている。例えば、テレ端（望遠側の限界ズーム位置）以上に操作したことを検出して自動的に電子ズームに切り替える技術などが検討されている（例えば、特許文献１参照）。
【０００３】
一方、様々なサイズの撮像素子が用いられた経緯から同じレンズであっても画像取得範囲が異なる複数フォーマットが共存し、撮影時に撮影者が撮像素子で撮影する画像取得範囲を選択するようになっている電子カメラもある。
【発明の概要】
【発明が解決しようとする課題】
【０００４】
ところが、撮影者がレンズのズームリングを回してズーム操作を行うのが一般的な一眼レフカメラでは、テレ端以上に操作されたか否かを検出することが難しく、専用の検出装置を設けなければ判別できないという問題があった。
【０００５】
また、撮像素子の画像取得範囲によって撮影される画像のズーム範囲が異なるため、撮影画角に応じて撮影時に撮影者が撮像素子の画像取得範囲を選択しなければならないという問題があった。
【０００６】
本発明の目的は、光学式ズームレンズのズーム操作と、撮像素子の画像取得範囲の切替とを連動させることにより、自然なズーム操作で広域ズームを実現できる電子カメラを提供することである。
【課題を解決するための手段】
【０００７】
本発明に係る電子カメラは、光学系ズームレンズのズーム位置を取得するズーム位置取得部と、前記光学系ズームレンズを介して入射する被写体像を第１画像取得範囲または第２画像取得範囲で撮影する撮影部と、前記ズーム位置取得部が取得するズーム位置に応じて前記撮影部で撮影する画像取得範囲を制御するズーム制御部とを備えることを特徴とする。
【０００８】
また、好ましくは、前記ズーム制御部は、前記光学系ズームレンズのズーム範囲内に予め設定された第１閾値よりワイド側のズーム領域では前記第１画像取得範囲を選択し、前記光学系ズームレンズのズーム範囲内に予め設定された前記第１閾値よりテレ側に位置する第２閾値よりテレ側のズーム領域では前記第２画像取得範囲を選択し、前記第１閾値と前記第２閾値との間のズーム領域では前記第１画像取得範囲から前記第２画像取得範囲まで光学系ズームレンズのズーム位置に連動させて画像取得範囲を変えることを特徴とする。
【０００９】
また、好ましくは、前記光学系ズームレンズのワイド端のズーム位置を前記第１閾値とする設定および前記光学系ズームレンズのテレ端のズーム位置を前記第２閾値とする設定の少なくとも一方を行うことを特徴とする。
【００１０】
また、好ましくは、前記第１画像取得範囲から前記第２画像取得範囲に切り替える第１閾値と、前記第２画像取得範囲から前記第１画像取得範囲に切り替える第２閾値とを設け、前記ズーム制御部は、前記光学系ズームレンズのズーム位置がテレ側方向に変化する場合は前記第１閾値で前記第１画像取得範囲から前記第２画像取得範囲に切り替え、前記光学系ズームレンズのズーム位置がワイド側方向に変化する場合は前記第２閾値で前記第２画像取得範囲から前記第１画像取得範囲に切り替えることを特徴とする。
【００１１】
また、好ましくは、前記第１画像取得範囲は、前記第２画像取得範囲よりも画像取得範囲が広いことを特徴とする。
【００１２】
また、好ましくは、前記ズーム制御部は、前記光学系ズームレンズのズーム位置が変化する範囲内で制御することを特徴とする。
【発明の効果】
【００１３】
本発明によれば、光学式ズームレンズのズーム操作と、撮像素子の画像取得範囲の切替とを連動させることにより、自然なズーム操作で広域ズームを実現することができる。
【図面の簡単な説明】
【００１４】
【図１】本実施形態に係る電子カメラ１００のブロック図である。
【図２】撮像素子１０４の画像取得範囲を説明するための補助図である。
【図３】ズーム範囲を説明するための補助図である。
【図４】「第１ズーム操作モード」のズーム範囲を説明するための補助図である。
【図５】「第１ズーム操作モード」の処理を示すフローチャートである。
【図６】電子ズームを説明するための補助図である。
【図７】「第２ズーム操作モード」のズーム範囲を説明するための補助図である。
【図８】「第２ズーム操作モード」の処理を示すフローチャートである。
【図９】「第３ズーム操作モード」のズーム範囲を説明するための補助図である。
【図１０】「第３ズーム操作モード」の処理を示すフローチャートである。
【図１１】「第３ズーム操作モード」のその他のズーム範囲を説明するための補助図である。
【発明を実施するための形態】
【００１５】
以下、本発明に係る電子カメラに関する実施形態について図面を用いて詳しく説明する。
【００１６】
図１は、本実施形態に係る電子カメラ１００の構成を示すブロック図である。電子カメラ１００は一眼レフ型のカメラで、図１ではカメラ本体１０１にズームレンズ１０２が装着されている。また、本実施形態に係る電子カメラ１００は、ズームレンズ１０２のズームリング操作に応じて、光学式ズームと電子ズームとを併用する複数の「ズーム操作モード」を有する。
【００１７】
［カメラ本体１０１の構成について］
図１において、カメラ本体１０１は、メカニカルシャッタ１０３と、撮像素子１０４と、ＡＦＥ（アナログフロントエンド）１０５と、画像バッファ１０６と、制御部１０７と、メモリ１０８と、表示部１０９と、ファインダー表示部１０９ａと、メモリカードＩ／Ｆ１１０と、操作部１１１と、シャッタ駆動部１１２と、ＡＥセンサ１１３と、ＡＦセンサ１１４と、ミラー駆動部１１５と、絞り駆動部１１６と、モータ１１７と、タイミング発生部（ＴＧ）１１８とで構成される。
【００１８】
図１において、ズームレンズ１０２に入射された被写体光は、メカニカルシャッタ１０３を介して撮像素子１０４の受光面に入射される。
【００１９】
撮像素子１０４の受光面には二次元状に光電変換部が配置されており、各光電変換部に入射された光量に応じた電気信号をＡＦＥ１０５に出力する。特に、本実施形態では、撮像素子１０４は２つの画像取得範囲を有しており、後で説明する制御部１０７のフォーマット切替部１５１の指令に応じて第１画像取得範囲Ｐａと第２画像取得範囲Ｐｂとを切り替えて読み出すことができる。２つの画像取得範囲の切替は、制御部１０７がタイミング発生部１１８に指令して、タイミング発生部１１８が出力するタイミング信号を可変することにより行う。特に、第１画像取得範囲Ｐａは第２画像取得範囲Ｐｂより広く、例えば、第１画像取得範囲Ｐａでの記録画素数が１２Ｍピクセルの場合に、第２画像取得範囲Ｐｂでの記録画素数は５Ｍピクセルで構成される。
【００２０】
ＡＦＥ１０５は、撮像素子１０４から出力される電気信号のノイズ除去や増幅などを行い、Ａ／Ｄ変換部でデジタル信号に変換して、１画面分のデジタル信号を画像データとして画像バッファ１０６に一時的に記憶する。
【００２１】
制御部１０７は、内部に予め記憶されているプログラムに従って動作し、電子カメラ１００の各部を制御する。また、制御部１０７は、画像バッファ１０６に一時的に記憶された画像データに対して、ホワイトバランス処理や色補正処理およびガンマ補正処理などを行った後、ＪＰＥＧ圧縮処理などの画像処理を実行する。そして、制御部１０７は、ＪＰＥＧ圧縮後の画像データをメモリカードＩ／Ｆ１１０を介してメモリカード１１０ａに保存する。特に、本実施形態では制御部１０７のズームモード設定部１５２で設定された「ズーム操作モード」に従って、ズームレンズ１０２のズームリング位置に応じて光学式ズームと電子ズームとを併用したズーム制御を行う。ここで、電子ズームは、制御部１０７の電子ズーム制御部１５３の処理により行われる。尚、電子ズーム制御部１５３の処理については後で詳しく説明する。
【００２２】
メモリ１０８は、電子カメラ１００に設定されている撮影モードや露出情報，フォーカス情報などを記憶する。また、メモリ１０８は、画像バッファ１０６に一時的に記憶されている画像やメモリカード１１０ａに保存されている画像を表示部１０９に表示する際の表示用バッファとしても使用される。さらに、本実施形態では、電子カメラ１００に装着されているズームレンズ１０２から読み取ったレンズ情報や、撮影者がズームモード設定部１５２の「ズーム操作モード」選択メニュー画面で選択したズーム操作モードを記憶する。尚、「ズーム操作モード」の種類については後で詳しく説明する。
【００２３】
表示部１０９は、制御部１０７が出力するライブビュー画像や撮影画像、或いは電子カメラ１００の操作情報やメニュー画面などを表示する。尚、制御部１０７は、ファインダー表示部１０９ａにも操作情報などを表示する。特に本実施形態では、ファインダー表示部１０９ａは、ファインダーに投影される被写体像を見ながら文字やグラフィックを表示できる透明な液晶板で構成され、撮像素子１０４で撮影される画像の取得範囲を枠で表示することができる。或いは、図１に示した光学式ビューファインダーの代わりに電子ビューファインダーを搭載する場合は、表示部１０９と同じ内容の情報を電子ビューファインダーに表示するようにしても構わない。
【００２４】
メモリカードＩ／Ｆ１１０は、接続コネクタを有し、該接続コネクタにメモリカード１１０ａを装着する。そして、制御部１０７が出力する画像データをメモリカード１１０ａに書き込んだり、逆にメモリカード１１０ａに保存されている画像データを制御部１０７に読み出す。メモリカード１１０ａは、フラッシュメモリなどの不揮発性メモリで構成され、電子カメラ１００で撮影した画像データが保存される。
【００２５】
操作部１１１は、電源ボタン，レリーズボタン，撮影モード選択ダイヤルやカーソルキーなどの操作部材で構成される。ユーザーはこれらの操作部材を用いて電子カメラ１００を操作し、操作情報は制御部１０７に出力される。そして、制御部１０７は、操作部１１１から入力する操作情報に応じて、電子カメラ１００全体の動作を制御する。
【００２６】
シャッタ駆動部１１２は、制御部１０７の指令に応じて、所定のシャッタ速度でメカニカルシャッタ１０３を開閉する。尚、所定のシャッタ速度は、撮影モードに応じて制御部１０７が決定する。また、ライブビュー画像を表示部１０９に表示する際は、メカニカルシャッタ１０３を開放状態にして、撮像素子１０４の露光時間によってシャッタ速度を制御する電子シャッタを用いる。
【００２７】
ＡＥセンサ１１３は、ズームレンズ１０２を介して入力する被写体光の明るさを測光し制御部１０７に出力する。制御部１０７は、ＡＥセンサ１１３の測光値に応じて適正露出になるように絞り値やメカニカルシャッタ１０３のシャッタ速度などを算出する。そして、制御部１０７は、絞り駆動部１１６に算出した絞り値に設定するよう指令し、またシャッタ駆動部１１２には算出したシャッタ速度で開閉するよう指令する。
【００２８】
ＡＦセンサ１１４は、ズームレンズ１０２を介して入力する被写体光のデフォーカス量を瞳分割方式などによって計測し、制御部１０７に出力する。制御部１０７は、ＡＦセンサ１１４から入力するデフォーカス量に応じてズームレンズ１０２のフォーカスレンズの位置を求め、フォーカスレンズ位置を調整するようズームレンズ１０２側に指令する。尚、ズームレンズ１０２側の構成については後で説明する。
【００２９】
ミラー駆動部１１５は、制御部１０７の指令に応じて、ミラーボックス２０１内の跳ね上げ式のミラー２０６を上下する。
【００３０】
絞り駆動部１１６は、制御部１０７の指令に応じて、モータ（Ｍ）１１７を動作させ、ズームレンズ１０２側の絞りの開閉と連動する連動ピン３０１を介してズームレンズ側の絞り３０２を開閉し、所定の絞り値に調節する。尚、所定の絞り値は、撮影モードに応じて制御部１０７によって求められる。
【００３１】
タイミング発生部１１８は、制御部１０７の指令に応じて、撮像素子１０４やＡＦＥ１０５および画像バッファ１０６にタイミング信号を出力する。そして、このタイミング信号に応じて撮像素子１０４から所定のフォーマット（画像取得範囲）の画像信号を読み出す。尚、所定のフォーマットは、制御部１０７のフォーマット切替部１５１により指定される。
【００３２】
［カメラ本体１０１の光学系の構造について］
次に、カメラ本体１０１の光学系の構造について説明する。図１において、カメラ本体１０１の中心部には、光軸に沿ってミラーボックス２０１がメカニカルシャッタ１０３とズームレンズ１０２との間に配置されている。また、カメラ本体１０１の上部領域には、光学ファインダ系を構成する焦点板２０２と、コンデンサレンズ２０３と、ペンタプリズム２０４と、接眼レンズ２０５とが配置されている。焦点板２０２は、ミラーボックス２０１の上方に位置し、ミラー２０６で反射された光束を一旦結像させる。焦点板２０２上で結像した光束はコンデンサレンズ２０３およびペンタプリズム２０４を通過し、ペンタプリズム２０４の入射面に対して所定角度だけ偏向した射出面からカメラ本体１０１の後方に導かれ、接眼レンズ２０５およびファインダー表示部１０９ａを介してファインダを覗く撮影者の眼に投影される。
【００３３】
尚、ミラー２０６の中央部は光を透過するハーフミラーになっており、ミラー２０６を透過した光束はサブミラー２０７によって下方に反射され、ＡＦセンサ１１４に導かれる。
【００３４】
測光時は、ミラー２０６で反射され焦点板２０２上で結像した光束の一部は、コンデンサレンズ２０３およびペンタプリズム２０４を通過して、ペンタプリズム２０４の近傍に設けられたＡＥセンサ１１３に導かれ、被写体の明るさを測光する。
【００３５】
また、撮影時は、制御部１０７の指令に応じてミラー駆動部１１５を介してミラー２０６およびサブミラー２０７を跳ね上げ、ズームレンズ１０２から入射する被写体光はメカニカルシャッタ１０３を介して撮像素子１０４に結像される。撮影後は、メカニカルシャッタ１０３が閉じられると同時にミラー２０６は跳ね上げ前の位置に戻る。
【００３６】
ここで、表示部１０９にライブビュー画像を表示して撮影する場合は、ミラー２０６は跳ね上げたままの状態で、メカニカルシャッタ１０３も開いた状態にしておき、電子シャッタによってライブビュー画像を撮影して表示部１０９にライブビュー画像を表示する。そして、操作部１１１のレリーズボタンが押下されると、一旦、メカニカルシャッタ１０３を閉じると共に、ミラー２０６を元の位置に戻してＡＥセンサ１１３で測光後、再びミラー２０６を跳ね上げて、メカニカルシャッタ１０３を設定されたシャッタ速度で開閉し、撮像素子１０４で本撮影を行う。
【００３７】
［ズームレンズ１０２の構成について］
次に、ズームレンズ１０２の構造について説明する。図１において、ズームレンズ１０２は、先に説明した絞り駆動用の連動ピン３０１と、絞り３０２と、フォーカスレンズおよびズームレンズなどを構成する複数枚のレンズ３０３と、レンズ制御部３０４と、フォーカス駆動部３０５と、モータ（Ｍ）３０６と、フォーカス位置検出部３０７と、ズームリング３０８と、ズーム位置検出部３０９と、接点コネクタ３１０と、ＲＯＭ３１１とで構成される。尚、絞り制御は、カメラ本体１０１側ではなく、ズームレンズ１０２側に配置しても構わない。
【００３８】
レンズ制御部３０４は、接点コネクタ３１０を介してカメラ本体１０１側と接続されてカメラ本体１０１側から電源の供給を受けると共に、制御部１０７に接続されて制御部１０７から受ける指令に応じてズームレンズ１０２の各部の動作を制御する。或いは、レンズ制御部３０４は、レンズ情報（ズームレンズ１０２のフォーカスレンズ位置やズームレンズ位置、或いは型番や光学ズーム範囲など）を制御部１０７に出力する。
【００３９】
フォーカス駆動部３０５は、レンズ制御部３０４の指令に応じて、レンズ３０３内のフォーカスレンズが所定位置になるようモータ３０６を駆動する。尚、フォーカスレンズの所定位置は、先に説明したように、カメラ本体１０１の制御部１０７が求めたフォーカスレンズ位置である。
【００４０】
フォーカス位置検出部３０７は、フォーカス駆動部３０５がモータ３０６を駆動して調整するフォーカスレンズの位置を読み取って、レンズ制御部３０４に出力する。これによって、レンズ制御部３０４はフォーカスレンズの位置を取得し、フォーカス駆動部３０５に指令した所定位置にフォーカスレンズが移動されたか否かを確認する。
【００４１】
ズームリング３０８は、ズームレンズ１０２の鏡筒の周囲に設けられたリング状の操作部材で、撮影者が手動で回転してレンズ３０３内のズームレンズの位置を可変する。
【００４２】
ズーム位置検出部３０９は、ズームリング３０８の操作によって可変されたズームレンズの位置を読み取って、レンズ制御部３０４に出力する。これによって、レンズ制御部３０４はズーム位置を取得する。尚、ズーム位置検出部３０９は、ズームレンズ自体の位置を検出するようにしても構わないし、ズームリング３０８の回転位置を検出するようにしても構わない。
【００４３】
接点コネクタ３１０は、ズームレンズ１０２側の金属接点とカメラ本体１０１側の金属接点とで構成され、ズームレンズ１０２の鏡筒をカメラ本体１０１に装着した時に両側の金属接点が接続され、カメラ本体１０１側からズームレンズ１０２側への電源の供給や、制御部１０７とレンズ制御部３０４との間の通信などを行うことができる。
【００４４】
ＲＯＭ３１１は、ズームレンズ１０２の製造時に記憶された製造番号や型番およびズームレンズ１０２の焦点距離範囲などのレンズ情報が記憶されている。これらのレンズ情報は、レンズ制御部３０４によって適宜読み出され、カメラ本体１０１側の制御部１０７に出力される。
【００４５】
［「ズーム操作モード」について］
次に、本実施形態に係る電子カメラ１００の「ズーム操作モード」について説明する。本実施形態では、撮影者がズームレンズ１０２のズームリング３０８を用いて操作する通常の光学式ズームだけでなく、撮像素子１０４の２つの画像取得範囲に応じたズーム操作を行うことができる。尚、「ズーム操作モード」には、後で説明するように複数のモードがあり、制御部１０７のズームモード設定部１５２で設定された「ズーム操作モード」に応じてズーム制御が行われる。
【００４６】
ここで、撮像素子１０４の画像取得範囲が第１画像取得範囲Ｐａの時にズームレンズ１０２の焦点距離範囲（光学ズーム範囲）が７０ｍｍから３００ｍｍとなる場合を例に挙げて説明する。この場合、撮像素子１０４は、先に説明したように、ズームレンズの焦点距離が同じであっても撮影画角の異なる第１画像取得範囲と第２画像取得範囲の２つの画像取得範囲を有するので、第１画像取得範囲Ｐａでの光学ズーム範囲が７０ｍｍから３００ｍｍであっても第２画像取得範囲Ｐｂでの第１画像取得範囲Ｐａフォーマット換算のズーム範囲は７０ｍｍから３００ｍｍにはならない。
【００４７】
例えば、図２に示すように、第２画像取得範囲Ｐｂが第１画像取得範囲Ｐａより小さい場合、且つズームレンズ１０２のズームリング３０８の焦点距離表示（７０ｍｍから３００ｍｍ）が第１画像取得範囲Ｐａで撮影される画像のズーム範囲に合致しているものとする。また、第２画像取得範囲Ｐｂで撮影される画像のズーム範囲は第１画像取得範囲Ｐａで撮影される画像のズーム範囲の１．５倍のズーム範囲になるものとする。この時、図３（ａ）に示すように、第１画像取得範囲Ｐａで撮影される画像のズーム範囲は７０ｍｍから３００ｍｍとなるが、第２画像取得範囲Ｐｂで撮影される画像のズーム範囲４０２は第１画像取得範囲Ｐａフォーマット換算で１０５ｍｍから４５０ｍｍとなる。つまり、撮像素子１０４が第２画像取得範囲Ｐｂに設定されている場合は、第１画像取得範囲Ｐａフォーマット換算で１０５ｍｍから４５０ｍｍのズームレンズを装着しているのと同じ画角の画像が得られることになる。ここで、第１画像取得範囲Ｐａと第２画像取得範囲Ｐｂの切り替えは、制御部１０７のフォーマット切替部１５１の指令に応じて行われる。
【００４８】
本実施形態に係る電子カメラ１００は、撮像素子１０４の撮影画角を第１画像取得範囲Ｐａと第２画像取得範囲Ｐｂのいずれかに切り替えることができるので、電子カメラ１００自体の実質的なズーム範囲は７０ｍｍから４５０ｍｍとなる。特に、本実施形態に係る電子カメラ１００は、図３（ｂ）に示すように、撮影者が操作するズームレンズ１０２のズームリング３０８の操作範囲（７０ｍｍから３００ｍｍの位置）は変わらず、電子カメラ１００で撮影される画像の実質的なズーム範囲を７０ｍｍから４５０ｍｍにすることができる。例えば、ズームレンズ１０２のズームリング３０８の位置が３００ｍｍの位置にある場合は、電子カメラ１００で撮影される画像の実質的なズーム位置は第１画像取得範囲Ｐａフォーマット換算で４５０ｍｍになり、ズームレンズ１０２のズームリング３０８の位置が７０ｍｍの位置にある場合は、電子カメラ１００で撮影される画像の実質的なズーム位置も７０ｍｍになる。このように、撮影者はズームレンズ１０２のズームリング３０８を操作するだけで、電子カメラ１００で撮影される画像の実質的なズーム範囲を７０ｍｍから４５０ｍｍまで可変することができる。
【００４９】
また、制御部１０７は、撮影される画像を画像取得範囲に応じたライブビュー画像として表示部１０９に表示するので、撮影者は表示部１０９を見ながらズーム操作を行うことができる。或いは、撮影者が光学式のファインダーで被写体を見ている場合は、制御部１０７は、ファインダー表示部１０９ａの透明な液晶板に撮影される画像の画像取得範囲を枠で表示するので、撮影者はファインダーに投影される被写体のどの部分が画像取得範囲であるかを知ることができる。
【００５０】
本実施形態に係る電子カメラ１００の「ズーム操作モード」は通常の撮像素子１０４の撮影画角を第１画像取得範囲Ｐａまたは第２画像取得範囲Ｐｂのいずれかに固定した通常のズーム操作モード以外に、以下に説明する３つの「ズーム操作モード」を有する。尚、これらの複数の「ズーム操作モード」は、ズームモード設定部１５２が表示するメニュー画面で撮影者によって選択される。
【００５１】
［「第１ズーム操作モード」について］
第１のズーム操作モードについて図４を用いて説明する。図４において、ズームレンズ１０２のズーム範囲内（ワイド端ＺＷとテレ端ＺＴとの間）に第１閾値（第１焦点距離）Ｚａと第２閾値（第２焦点距離）Ｚｂとを設ける。そして、第１閾値Ｚａより小さいズームリング３０８の位置では撮像素子１０４の撮影画角を第１画像取得範囲Ｐａに固定して光学ズームのみを使用し、第２閾値Ｚｂより大きいズームリング３０８の位置では撮像素子１０４の撮影画角を第２画像取得範囲Ｐｂに固定して光学ズームのみを使用する。さらに、第１閾値Ｚａと第２閾値Ｚｂの間のズームリング３０８の位置では撮像素子１０４の撮影画角を第１画像取得範囲Ｐａと第２画像取得範囲Ｐｂとの間で可変する電子ズームを併用する。例えば、図４において、ワイド端ＺＷを７０ｍｍ、テレ端ＺＴを３００ｍｍ、第１閾値Ｚａを１０５ｍｍ、第２閾値Ｚｂを２００ｍｍとすると、ズームリング３０８の位置が７０ｍｍから１０５ｍｍまでの間では撮像素子１０４の撮影画角は第１画像取得範囲Ｐａとなり、ズームリング３０８の位置が２００ｍｍから３００ｍｍまでの間では撮像素子１０４の撮影画角は第２画像取得範囲Ｐｂとなる。そして、ズームリング３０８の位置が１０５ｍｍ以上且つ２００ｍｍ以下の間においては、撮像素子１０４の撮影画角は第１画像取得範囲Ｐａから第２画像取得範囲Ｐｂまで電子ズームを併用して可変する。尚、電子ズームは、後で詳しく説明するように、制御部１０７の電子ズーム制御部１５３によって処理される。
【００５２】
次に、「第１ズーム操作モード」のズーム処理について、図５のフローチャートを用いて説明する。尚、図５のフローチャートは、制御部１０７の動作を主体とし、制御部１０７の内部に予め記憶されたプログラムに従って処理される。また、電子カメラ１００は既に電源が投入され、ライブビュー画像が表示部１０９に表示された状態になっている。また、ファインダー表示部１０９ａの透明な液晶板には、表示部１０９に表示されたライブビュー画像と同じ画角の画像取得範囲が枠で表示された状態になっている。尚、ズームモード設定部１５２で「第１ズーム操作モード」が選択されているものとする。
【００５３】
（ステップＳ１０１）制御部１０７は、「第１ズーム操作モード」のズーム処理を開始する。
【００５４】
（ステップＳ１０２）制御部１０７は、レンズ制御部３０４からズームレンズ１０２のズーム位置（ズームリング３０８の位置）を取得する。
【００５５】
（ステップＳ１０３）制御部１０７は、ステップＳ１０２で取得したズーム位置が第１閾値Ｚａ以上か否かを判別する。ズーム位置が第１閾値Ｚａ以上の場合はステップＳ１０５に進み、ズーム位置が第１閾値Ｚａ以上でない場合はステップＳ１０４に進む。
【００５６】
（ステップＳ１０４）制御部１０７は、撮像素子１０４の撮影画角として第１画像取得範囲Ｐａを選択する。
【００５７】
（ステップＳ１０５）制御部１０７は、ステップＳ１０２で取得したズーム位置が第２閾値Ｚｂ以下か否かを判別する。ズーム位置が第２閾値Ｚｂ以下の場合はステップＳ１０７に進み、ズーム位置が第２閾値Ｚｂ以下でない場合はステップＳ１０６に進む。
【００５８】
（ステップＳ１０６）制御部１０７は、撮像素子１０４の撮影画角として第２画像取得範囲Ｐｂを選択する。
【００５９】
（ステップＳ１０７）制御部１０７は、ステップＳ１０２で取得したズーム位置に応じた画像取得範囲になるように第１画像取得範囲Ｐａと第２画像取得範囲Ｐｂとの間で電子ズーム処理を行う。ここで、制御部１０７の電子ズーム制御部１５３によって処理される電子ズームについて図６を用いて詳しく説明する。図６は、第１画像取得範囲Ｐａと第２画像取得範囲Ｐｂとの間の画像取得範囲を可変する様子を描いた説明図である。図４の例では、ズームレンズ１０２のズーム位置（ズームリング３０８の位置）が１０５ｍｍから２００ｍｍの間で電子ズームを行うので、図６に示す撮影画像の画像取得範囲が画像取得範囲Ｐａの場合はズームレンズ１０２のズーム位置は１０５ｍｍである。また、図６の画像取得範囲Ｐｂの場合はズームレンズ１０２のズーム位置は２００ｍｍである。ここで、例えばズームレンズ１０２のズーム位置を１３５ｍｍにした場合は、画像取得範囲Ｐａより少し小さい画像取得範囲Ｐｃを撮影画像の画像取得範囲とする。さらに、ズームレンズ１０２のズーム位置を１６５ｍｍにした場合は、画像取得範囲Ｐｃより少し小さい画像取得範囲Ｐｄを撮影画像の画像取得範囲とする。ここで、本実施形態における撮像素子１０４から読み出せる画像取得範囲は画像取得範囲Ｐａまたは画像取得範囲Ｐｂのいずれかなので、電子ズームする際には、画像取得範囲Ｐａの画像データを撮像素子１０４から画像バッファ１０６に一旦読み出しておき、制御部１０７が画像バッファ１０６から画像データを読み出す時にズーム位置に応じた画像取得範囲にトリミングして読み出す。或いは、ＣＭＯＳ型撮像素子などで読み出す画素のアドレスを任意に指定できる場合は、電子ズーム時の画像取得範囲に対応する画素の画像データだけをＣＭＯＳ型撮像素子から読み出すようにしても構わない。
【００６０】
このように、「第１ズーム操作モード」において、制御部１０７の電子ズーム制御部１５３はズームレンズ１０２のズーム位置に応じて電子ズームを行う。特に、この時、ズームレンズ１０２のズーム位置（ズームリング３０８の位置）が変化しているので光学ズームも同時に行われている。つまり、電子ズームと光学ズームとが併用されたズーム操作が行われる。この結果、撮影者はズームリング３０８のズーム範囲内（７０ｍｍから３００ｍｍまで）で操作を行うだけで、実際に撮影される画像上では７０ｍｍから４５０ｍｍまでの広域のズーム操作を連続して行うことができる。
【００６１】
尚、図４において、ズームレンズ１０２のズームリング３０８の位置変化（１０５ｍｍから２００ｍｍまで）と、実際に撮影される画像のズーム変化（１０５ｍｍから３００ｍｍまで）とが直線的な比例関係になる場合について説明したが、曲線的に変化するようにしても構わない。例えば、ワイド側のズーム範囲を微調整したい場合は、ワイド側の領域でズームリング３０８の位置変化に対するズーム変化が小さくなり、テレ側の領域でズームリング３０８の位置変化に対するズーム変化が大きくなるように、曲線５０１のような特性にしても構わない。或いは、逆に、テレ側のズーム範囲を微調整したい場合は、テレ側の領域でズームリング３０８の位置変化に対するズーム変化が小さくなり、ワイド側の領域でズームリング３０８の位置変化に対するズーム変化が大きくなるように、曲線５０２のような特性にしても構わない。或いは、ズーム位置検出部３０９は必ずしも連続的にズームリング３０８の位置を検出するわけではないので、この検出特性が階段状に変化する場合は、これを補正するために、その逆特性の階段状に変化させても構わない。
【００６２】
［「第２ズーム操作モード」について］
次に、「第２ズーム操作モード」について図７を用いて説明する。「第２ズーム操作モード」では、図７に示すように、ズームレンズ１０２の全てのズーム範囲内（ワイド端ＺＷとテレ端ＺＴとの間）において、ズームレンズ１０２のズーム位置（ズームリング３０８の位置）に応じて撮像素子１０４の撮影画角を第１画像取得範囲Ｐａと第２画像取得範囲Ｐｂとの間で可変する電子ズームを併用する。尚、図７の例では、図４と同様にワイド端ＺＷを７０ｍｍ、テレ端ＺＴを３００ｍｍとする。
【００６３】
図７において、ズームリング３０８の位置が７０ｍｍでは撮像素子１０４の撮影画角は第１画像取得範囲Ｐａとなり、ズームリング３０８の位置が３００ｍｍでは撮像素子１０４の撮影画角は第２画像取得範囲Ｐｂとなる。図４の場合と異なり、ズームリング３０８の全ての位置（７０ｍｍと３００ｍｍの間）において、撮像素子１０４の撮影画角は第１画像取得範囲Ｐａから第２画像取得範囲Ｐｂまで電子ズームを併用して可変される。尚、電子ズームは、図６で説明したように、ズームレンズ１０２のズーム位置（ズームリング３０８の位置）に応じて、画像取得範囲Ｐａと画像取得範囲Ｐｂとの間を可変して撮影画像の画像取得範囲を得る。
【００６４】
ここで、「第２ズーム操作モード」のズーム処理について、図８のフローチャートを用いて説明する。尚、図８のフローチャートは、図５のフローチャートと同様に、制御部１０７の動作を主体とし、制御部１０７の内部に予め記憶されたプログラムに従って処理される。また、電子カメラ１００は既に電源が投入され、ライブビュー画像が表示部１０９に表示された状態になっている。或いは、ファインダー表示部１０９ａの透明な液晶板には、表示部１０９に表示されたライブビュー画像と同じ画角の画像取得範囲が枠で表示された状態になっている。尚、ズームモード設定部１５２で「第２ズーム操作モード」が選択されているものとする。
【００６５】
（ステップＳ２０１）制御部１０７は、「第２ズーム操作モード」のズーム処理を開始する。
【００６６】
（ステップＳ２０２）制御部１０７は、レンズ制御部３０４からズームレンズ１０２のズーム位置（ズームリング３０８の位置）を取得する。この処理は、図５のフローチャートのステップＳ１０２と同じ処理である。
【００６７】
（ステップＳ２０３）制御部１０７は、ステップＳ２０２で取得したズーム位置に応じた画像取得範囲になるように第１画像取得範囲Ｐａと第２画像取得範囲Ｐｂとの間で電子ズーム処理を行う。この処理は、図５のフローチャートのステップＳ１０７と同じ処理である。つまり、ステップＳ２０２で取得したズーム位置に応じて電子ズームが併用され、例えば図７において、ズームレンズ１０２のズームリング３０８の位置を９０ｍｍにした場合は、画像取得範囲Ｐａより少し小さい画像取得範囲となり、実質的に１０５ｍｍの焦点距離のレンズで撮影した画角の撮影画像が得られる。同様に、ズームレンズ１０２のズームリング３０８の位置を２１０ｍｍにした場合は、画像取得範囲Ｐｂより少し大きい画像取得範囲となり、実質的に３００ｍｍの焦点距離のレンズで撮影した画角の撮影画像が得られる。
【００６８】
ここで、先に説明した図４の「第１ズーム操作モード」では、ズームレンズ１０２のズームリング３０８の位置が７０ｍｍから１０５ｍｍの間は実際に撮影される画像のズーム範囲も７０ｍｍから１０５ｍｍで変わらないが、ズームレンズ１０２のズームリング３０８の位置が１０５ｍｍから２００ｍｍの間では実際に撮影される画像のズーム範囲が１０５ｍｍから３００ｍｍまで大きく変化する。この結果、ズームレンズ１０２のズームリング３０８の位置の１０５ｍｍを境にズーム操作に対する実際のズーム変化の速度が急に変わるので、撮影者は違和感を感じる場合がある。これに対して、図７の「第２ズーム操作モード」では、ズームレンズ１０２のズームリング３０８の位置変化（７０ｍｍから３００ｍｍまで）と、実際に撮影される画像のズーム変化（７０ｍｍから４５０ｍｍまで）とが比例関係になる。この結果、撮影者がズームレンズ１０２のズームリング３０８を変化させる速度に応じて、撮影される画像のズームが変化するので違和感なく自然な感覚で滑らかにズーム操作を行うことができる。
【００６９】
このように、「第２ズーム操作モード」において、制御部１０７はズームレンズ１０２のズーム位置に応じて電子ズームと光学ズームとが併用されたズーム操作を行うので、撮影者はズームリング３０８のズーム範囲内（７０ｍｍから３００ｍｍまで）で操作を行うだけで、実際に撮影される画像上では７０ｍｍから４５０ｍｍまでの広域のズーム操作を連続して行うことができる。
【００７０】
尚、図７において、ズームレンズ１０２のズームリング３０８の位置変化（７０ｍｍから３００ｍｍまで）と、実際に撮影される画像のズーム変化（７０ｍｍから４５０ｍｍまで）とが直線的な比例関係になる場合について説明したが、図４と同様に曲線的に変化するようにしても構わない。例えば、ワイド側のズーム範囲を微調整したい場合は、ワイド側の領域でズームリング３０８の位置変化に対するズーム変化が小さくなり、テレ側の領域でズームリング３０８の位置変化に対するズーム変化が大きくなるように、曲線５０３のような特性にしても構わない。或いは、逆に、テレ側のズーム範囲を微調整したい場合は、テレ側の領域でズームリング３０８の位置変化に対するズーム変化が小さくなり、ワイド側の領域でズームリング３０８の位置変化に対するズーム変化が大きくなるように、曲線５０４のような特性にしても構わない。或いは、ズーム位置検出部３０９は必ずしも連続的にズームリング３０８の位置を検出するわけではないので、この検出特性が階段状に変化する場合は、これを補正するために、その逆特性の階段状に変化させても構わない。
【００７１】
［「第３ズーム操作モード」について］
次に、「第３ズーム操作モード」について図９（ａ）および図９（ｂ）を用いて説明する。「第３ズーム操作モード」では、図９（ａ）および図９（ｂ）に示すように、ズームレンズ１０２のズーム位置（ズームリング３０８の位置）に応じて撮像素子１０４の撮影画角を第１画像取得範囲Ｐａと第２画像取得範囲Ｐｂのいずれかを選択する。「第３ズーム操作モード」では、「第１ズーム操作モード」や「第２ズーム操作モード」のように画像取得範囲を任意に可変する電子ズームを併用しない。
【００７２】
尚、図９（ａ）および図９（ｂ）の例においても、図４や図７と同様にズームレンズ１０２の光学ズームの範囲はワイド端ＺＷを７０ｍｍ、テレ端ＺＴを３００ｍｍとする。また、図９（ａ）は、ズームリング３０８の位置が１０５ｍｍ以下の範囲からテレ側に移動する場合を示し、図９（ｂ）は、ズームリング３０８の位置が２００ｍｍ以上の範囲からワイド側に移動する場合を示している。
【００７３】
図９（ａ）および図９（ｂ）において、ズームリング３０８の位置が１０５ｍｍ以下では撮像素子１０４の撮影画角は第１画像取得範囲Ｐａに固定となり、ズームリング３０８の位置が２００ｍｍ以上では撮像素子１０４の撮影画角は第２画像取得範囲Ｐｂに固定となる。また、図９（ａ）に示すように、ズームリング３０８の位置が１０５ｍｍ以下の範囲からテレ側に移動する場合は、ズームリング３０８の位置が２００ｍｍ未満の範囲では第１画像取得範囲Ｐａを維持し、ズームリング３０８の位置が２００ｍｍ以上になった時に第２画像取得範囲Ｐｂに切り替える。従って、ズームリング３０８の位置が１０５ｍｍ以下の範囲からテレ側に移動する場合は、実際に撮影される画像のズーム範囲は７０ｍｍ以上２００ｍｍ未満の範囲と、３００ｍｍ以上４５０ｍｍ以下の範囲になる。一方、図９（ｂ）に示すように、ズームリング３０８の位置が２００ｍｍ以上の範囲からワイド側に移動する場合は、ズームリング３０８の位置が１０５ｍｍより大きい範囲では第２画像取得範囲Ｐｂを維持し、ズームリング３０８の位置が１０５ｍｍ以下になった時に第１画像取得範囲Ｐａに切り替える。従って、ズームリング３０８の位置が２００ｍｍ以上の範囲からワイド側に移動する場合は、実際に撮影される画像のズーム範囲は７０ｍｍ以上１０５ｍｍ以下の範囲と、１５７．５ｍｍより大きく４５０ｍｍ以下の範囲になる。
【００７４】
このように、「第３ズーム操作モード」では、ズームリング３０８の位置が１０５ｍｍ以下の範囲からテレ側に移動する場合は実際に撮影される画像のズーム範囲の２００ｍｍ以上３００ｍｍ未満の範囲が無く、ズームリング３０８の位置が２００ｍｍ以上の範囲からワイド側に移動する場合は実際に撮影される画像のズーム範囲の１０５ｍｍから１５７．５ｍｍ以下の範囲が無い。但し、ズームリング３０８の位置が１０５ｍｍ以下の範囲からテレ側に移動する場合でも、一旦、撮像素子１０４の撮影画角が第２画像取得範囲Ｐｂに切り替わった後で、ズームリング３０８の位置をワイド側に移動することにより、２００ｍｍから３００ｍｍに飛んだ部分のズーム範囲を利用することができる。同様に、ズームリング３０８の位置が２００ｍｍ以上の範囲からワイド側に移動する場合でも、一旦、撮像素子１０４の撮影画角が第１画像取得範囲Ｐａに切り替わった後で、ズームリング３０８の位置をテレ側に移動することにより、１５７．５ｍｍから１０５ｍｍに飛んだ部分のズーム範囲を利用することができる。
【００７５】
ここで、「第３ズーム操作モード」のズーム処理について、図１０のフローチャートを用いて説明する。尚、図１０のフローチャートは、図５のフローチャートと同様に、制御部１０７の動作を主体とし、制御部１０７の内部に予め記憶されたプログラムに従って処理される。また、電子カメラ１００は既に電源が投入され、ライブビュー画像が表示部１０９に表示された状態になっている。或いは、ファインダー表示部１０９ａの透明な液晶板には、表示部１０９に表示されたライブビュー画像と同じ画角の画像取得範囲が枠で表示された状態になっている。尚、ズームモード設定部１５２で「第３ズーム操作モード」が選択されているものとする。
【００７６】
（ステップＳ３０１）制御部１０７は、「第３ズーム操作モード」のズーム処理を開始する。尚、撮像素子１０４の撮影画角は、初期値として第１画像取得範囲Ｐａが選択されているものとする。
【００７７】
（ステップＳ３０２）制御部１０７は、レンズ制御部３０４からズームレンズ１０２のズーム位置（ズームリング３０８の位置）を取得する。
【００７８】
（ステップＳ３０３）制御部１０７は、ステップＳ３０２で取得したズーム位置が第１閾値Ｚａ以上か否かを判別する。ズーム位置が第１閾値Ｚａ以上の場合はステップＳ３０５に進み、ズーム位置が第１閾値Ｚａ以上でない場合はステップＳ３０４に進む。
【００７９】
（ステップＳ３０４）制御部１０７は、撮像素子１０４の撮影画角として第１画像取得範囲Ｐａを選択する。尚、既に第１画像取得範囲Ｐａが選択されている場合は、これを維持する。
【００８０】
（ステップＳ３０５）制御部１０７は、ステップＳ３０２で取得したズーム位置が第２閾値Ｚｂ以下か否かを判別する。ズーム位置が第２閾値Ｚｂ以下の場合はステップＳ３０７に進み、ズーム位置が第２閾値Ｚｂ以下でない場合はステップＳ３０６に進む。
【００８１】
（ステップＳ３０６）制御部１０７は、撮像素子１０４の撮影画角として第２画像取得範囲Ｐｂを選択する。尚、既に第２画像取得範囲Ｐｂが選択されている場合は、これを維持する。
【００８２】
（ステップＳ３０７）制御部１０７は、既に選択されている画像取得範囲を維持する。つまり、第１画像取得範囲Ｐａが選択されている場合は第１画像取得範囲Ｐａのまま維持し、第２画像取得範囲Ｐｂが選択されている場合は第２画像取得範囲Ｐｂのまま維持する。
【００８３】
このように、「第３ズーム操作モード」において、制御部１０７はズームレンズ１０２のズーム位置に応じて、撮像素子１０４の第１画像取得範囲Ｐａと第２画像取得範囲Ｐｂの２つの撮影画角のいずれかに自動的に切り替え、常に光学ズームのみを利用する。この結果、ワイド側では撮像素子１０４の解像度を活かしながら高画質の画像を撮影することができ、且つ、テレ側においては４５０ｍｍまでの高倍率のズームを利用することができる。しかも、撮影者は、ズームレンズ１０２のズームリング３０８を７０ｍｍから３００ｍｍまで操作するだけでよく、撮影中に撮影画角を切り替える特別な操作を行う必要がない。
【００８４】
尚、図９（ａ）では、ズームリング３０８の位置が１０５ｍｍ以下の範囲からテレ側に移動する場合は、ズームリング３０８の位置が２００ｍｍで第２画像取得範囲Ｐｂに切り替えるようにしたが、図１１（ａ）に示すように、ズームリング３０８のテレ端位置の３００ｍｍで第２画像取得範囲Ｐｂに切り替えるようにしても構わない。同様に、図９（ｂ）では、ズームリング３０８の位置が２００ｍｍ以上の範囲からワイド側に移動する場合は、ズームリング３０８の位置が１０５ｍｍで第１画像取得範囲Ｐａに切り替えるようにしたが、図１１（ｂ）に示すように、ズームリング３０８のワイド端位置の７０ｍｍで第１画像取得範囲Ｐａに切り替えるようにしても構わない。これにより、撮像素子１０４の解像度を活かしながらズームレンズ１０２の光学ズーム範囲で高画質の画像を撮影することができ、且つテレ側においては４５０ｍｍまでの高倍率のズームも利用することができる。
【００８５】
このように、「第３ズーム操作モード」では、ズーム操作と撮像素子１０４の画像取得範囲の切り替え動作との関係にヒステリシスを持たせているので、あるズーム範囲内では光学ズームだけによる通常のズーム操作を実現しながら、且つ７０ｍｍから４５０ｍｍの広域ズーム撮影にも対応することができる。
【００８６】
以上、各実施形態で説明してきたように、本実施形態にかかる電子カメラ１００は、光学式ズームレンズ１０２のズーム操作と、撮像素子１０４の２つの画像取得範囲の切替とを連動させることにより、自然なズーム操作を実現することができる。尚、本実施形態に係る電子カメラ１００は、静止画像を撮影するスチルカメラだけでなく、動画像を撮影するビデオカメラやカメラ付き携帯電話などを含み、ズームレンズを用いて画像を撮影する全ての撮影装置に適用することができる。
【符号の説明】
【００８７】
１００・・・電子カメラ            １０１・・・カメラ本体
１０２・・・ズームレンズ          １０３・・・メカニカルシャッタ
１０４・・・撮像素子              １０５・・・ＡＦＥ
１０６・・・画像バッファ          １０７・・・制御部
１０８・・・メモリ                １０９・・・表示部
１０９ａ・・・ファインダー表示部  １１０・・・メモリカードＩ／Ｆ
１１１・・・操作部                １１２・・・シャッタ駆動部
１１３・・・ＡＥセンサ            １１４・・・ＡＦセンサ
１１５・・・ミラー駆動部          １１６・・・絞り駆動部
１１７・・・モータ                １１８・・・タイミング発生部（ＴＧ）
１５１・・・フォーマット切替部    １５２・・・ズームモード設定部
１５３・・・電子ズーム制御部
２０１・・・ミラーボックス        ２０２・・・焦点板
２０３・・・コンデンサレンズ      ２０４・・・ペンタプリズム
２０５・・・接眼レンズ            ２０６・・・ミラー
２０７・・・サブミラー            ３０１・・・連動ピン
３０２・・・絞り                  ３０３・・・レンズ
３０４・・・レンズ制御部          ３０５・・・フォーカス駆動部
３０６・・・モータ（Ｍ）          ３０７・・・フォーカス位置検出部
３０８・・・ズームリング          ３０９・・・ズーム位置検出部
３１０・・・接点コネクタ          ３１１・・・ＲＯＭ
【先行技術文献】
【特許文献】
【００８８】
【特許文献１】特開２０００−０５９６６７号公報
【図１】
2010193377.tif 000003
【図２】
2010193377.tif 000004
【図３】
2010193377.tif 000005
【図４】
2010193377.tif 000006
【図５】
2010193377.tif 000007
【図６】
2010193377.tif 000008
【図７】
2010193377.tif 000009
【図８】
2010193377.tif 000010
【図９】
2010193377.tif 000011
【図１０】
2010193377.tif 000012
【図１１】
2010193377.tif 000013